(57)【特許請求の範囲】
【請求項１】
内側に家庭用薄葉紙を収納すると共に、収納された前記家庭用薄葉紙を外側に取り出す取出口が形成された容器本体と、前記取出口を開閉するように前記容器本体に取り付けられた蓋体とを備える家庭用薄葉紙収納容器であって、
前記容器本体に対して前記蓋体を同一線上とならない軸線回りに回動可能に支持する少なくとも二以上の支持部を備え、
前記各支持部は、いずれも、前記蓋体と前記容器本体との間を分離可能に連結し、
前記各支持部は、前記容器本体に設けられた支軸と、二つの爪により前記支軸を挟むように抱いて回動可能に保持する軸抱きと、を有し、
前記二つの爪のうち前記蓋体を開く際に回動により前記容器本体側に移動する一方の爪が円弧状に形成され、
前記容器本体には、前記蓋体を開く方向に回動することにより前記容器本体側に近接移動する方向に移動する前記一方の爪が進入する保持穴が形成されていることを特徴とする家庭用薄葉紙収納容器。
【請求項２】
前記各支持部は、前記蓋体と前記容器本体とを連結する部材の可撓性を利用して分離可能とすることを特徴とする請求項１に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
家屋の床やトイレ、或いは人体などを拭くための家庭用薄葉紙を収納する家庭用薄葉紙収納容器は密閉性を備え、収納容器の上部には家庭用薄葉紙を取り出すための取出口と、当該取出口を開閉する蓋体が設けられ、使用時にのみ開放することにより内部の水分の漏れや乾燥の防止を図っていた。
そして、家庭用薄葉紙収納容器の蓋体を取り外し構造とすると、家庭用薄葉紙の使用のたびに蓋体を取り外した上にどこかに置いてから家庭用薄葉紙の取り出しを行わねばならなくなり、非常に煩雑であることから、一般には回動式の蓋体が採用されていた（例えば、特許文献１，２参照）。
【先行技術文献】
【特許文献】
【０００３】
【特許文献１】特開２００８−２４７４０４号公報
【特許文献２】特開平１１−７５９３３号公報
【発明の概要】
【発明が解決しようとする課題】
【０００４】
しかしながら、上述した従来の家庭用薄葉紙収納容器は、いずれも、容器本体に対して一つの回動軸線回りに蓋体が回動可能に支持される構造であるため、家庭用薄葉紙収納容器の置かれた時の向きに応じて蓋体が一定の方向のみにしか開くことができないという問題があった。このため、例えば、家庭用薄葉紙収納容器の後にいる人が家庭用薄葉紙を使用しようとする場合には、一旦家庭用薄葉紙収納容器の向きを自分に向けてから蓋体を開ける必要があり、取出作業が繁雑なものとなっていた。
【０００５】
本発明は、家庭用薄葉紙の取り出しを容易に行うことをその目的とする。
【課題を解決するための手段】
【０００６】
請求項１記載の発明は、内側に家庭用薄葉紙を収納すると共に、収納された前記家庭用薄葉紙を外側に取り出す取出口が形成された容器本体と、前記取出口を開閉するように前記容器本体に取り付けられた蓋体とを備える家庭用薄葉紙収納容器であって、前記容器本体に対して前記蓋体を同一線上とならない軸線回りに回動可能に支持する少なくとも二以上の支持部を備え、前記各支持部は、いずれも、前記蓋体と前記容器本体との間を分離可能に連結し、前記各支持部は、前記容器本体に設けられた支軸と、二つの爪により前記支軸を挟むように抱いて回動可能に保持する軸抱きと、を有し、前記二つの爪のうち前記蓋体を開く際に回動により前記容器本体側に移動する一方の爪が円弧状に形成され、前記容器本体には、前記蓋体を開く方向に回動することにより前記容器本体側に近接移動する方向に移動する前記一方の爪が進入する保持穴が形成されていることを特徴とする。
【０００９】
請求項２記載の発明は、請求項１に記載の発明と同様の構成を備えると共に、前記各支持部は、前記蓋体と前記容器本体とを連結する部材の可撓性を利用して分離可能とすることを特徴とする。
【発明の効果】
【００１０】
請求項１記載の発明は、同一線上とならない軸線回りに蓋体を回動可能に支持する少なくとも二以上の支持部を備え、各支持部は蓋体と容器本体との分離を可能とすることから、ある支持部の回動軸線回りに蓋体を回動させる場合には他の支持部は連結を解くことで、複数の回動軸線回りで蓋体を回動させて開くことができ、回動軸線毎に蓋体を異なる向きで開くことが可能となる。
このため、家庭用薄葉紙収納容器に対して一定の向きにいる人に限らず、より多くの向きから蓋体を開くことを可能とし、蓋体を開ける際に家庭用薄葉紙収納容器の向きを変える作業をより低減することができ、より容易に家庭用薄葉紙の取り出しを行うことが可能となる。
【００１３】
請求項２記載の発明は、各支持部における蓋体と容器本体との分離を、連結を行う部材の可撓性を利用して行うので、蓋体の引っ張り動作のみにより分離させることが可能となり、蓋体の任意の軸線回りでの回動を容易に行うことができ、家庭用薄葉紙の取り出しをより容易に行うことが可能となる。
【図面の簡単な説明】
【００１４】
【図１】本発明を適用した実施形態として例示する家庭用薄葉紙収納容器を正面上方から見た斜視図である。
【図２】図１におけるＷ−Ｗ線に沿った家庭用薄葉紙収納容器の断面図であって、小蓋を閉じた状態を示す。
【図３】小蓋の一部を切り欠いた支持部の斜視図である。
【図４】支持部のＸ−Ｚ平面に沿った断面図である。
【図５】図１におけるＷ−Ｗ線に沿った家庭用薄葉紙収納容器の断面図であって、小蓋を開いた状態を示す。
【図６】支持部の他の構造例を示す正面図である。
【図７】支持部に爪の保持穴を設けた例を示す断面図である。
【図８】第二の実施形態における他の支持部の例を示す斜視図である。
【図９】第三の実施形態における他の支持部の例を示す斜視図である。
【図１０】支持部の他の構造例を示す断面図である。
【発明を実施するための形態】
【００１５】
（第一の実施形態）
図１は本発明の実施形態としての家庭用薄葉紙収納容器１０を正面上方から見た斜視図であり、図２は図１におけるＷ−Ｗ線に沿った家庭用薄葉紙収納容器１０の断面図である。なお、以下の説明において、鉛直上下方向をＺ軸方向、所定の水平方向をＸ軸方向、水平であってＸ軸方向に直交する方向をＹ軸方向とし、Ｘ軸方向の一方を前方、他方を後方と定義し（図２参照）、Ｙ軸方向の一方を左方、他方を右方と定義し（図１参照）、Ｚ軸方向の一方を上方、他方を下方と定義する（図１参照）。また、以下に説明する家庭用薄葉紙収納容器１０は水平面上に置かれた状態にあるものとして説明し、水平面に置かれた状態で家庭用薄葉紙収納容器１０の上面は水平となるものとする。
【００１６】
（家庭用薄葉紙収納容器の概略構成）
家庭用薄葉紙収納容器１０は、図２に示すように、例えば、内側に、例えば、ロール状に巻かれたウェットシートやウェットティッシュ等のロールペーパーからなる家庭用薄葉紙Ｐを収納するとともに、収納された家庭用薄葉紙Ｐを外側に取り出す取出口としての取出部４１が形成された容器本体２０と、この容器本体２０に回動により取出部４１を開閉するように取り付けられた蓋体としての小蓋５０と、小蓋５０を容器本体２０に対して回動可能に支持する二つの支持部６０，６０とを備えて構成されている。
この家庭用薄葉紙収納容器１０に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
【００１７】
（容器本体）
容器本体２０は、容器本体２０の下部をなす有底円筒形状のボトル３０と、容器本体２０の上部をなす蓋４０とで構成されている。
【００１８】
ボトル３０は、図２に示すように、底部から上端部近傍までほぼ一定の円筒状であり、上端部３１はやや小径に形成されると共に大きく開口している。また、このボトル３０の上端部３１の外周面には、周方向に沿って雄ネジ部が形成されている。なお、ボトル３０の下部（底部）の図示は省略している。
ボトル３０は、円筒状であることから、前述したロール状の家庭用薄葉紙Ｐをほぼ同心位置に配置して収納することを可能としている。また、家庭用薄葉紙Ｐは、ロールの中心側から紙片を繰り出すようになっている。
このボトル３０は、例えば、ＰＥ（ポリエチレン）やＰＰ（ポリプロピレン）、或いはＰＥＴ（ポリエチレンテレフタレート）等の熱可塑性樹脂を用いて、インジェクション成形、ブロー成形等の金型成型により一体的に形成されている。
【００１９】
蓋４０は、ボトル３０に比べて丈の短い円筒状であって、その上端側は天面部４２により閉塞され、下端部は開口している。また、蓋４０の外径はボトル３０の外径とほぼ等しく、その内周面にはボトル３０の雄ネジ部に螺合する雌ネジ部が形成されている。この雌ネジ部により、蓋４０は前述したボトル３０の上端部３１に対して着脱可能となっている。
蓋４０は着脱可能であるため、ボトル３０から取り外した状態では、ボトル３０の内部に家庭用薄葉紙Ｐを充填することを可能とし、蓋４０をボトル３０に取り付けた状態では内部の家庭用薄葉紙Ｐのロールが外に出ないように保持することを可能とする。
この蓋４０は、例えば、ＰＥやＰＰ或いはＰＥＴ等の熱可塑性樹脂を用いて、インジェクション成形、ブロー成形等の金型成型により一体的に形成されている。
【００２０】
また、容器本体２０の一部を成す蓋４０の天面部４２の中央部は、前述した小蓋５０の外形に対応した略正方形状の凹部４３が形成されており、当該凹部４３に嵌合するように小蓋５０が天面部４２に取り付けられている。
また、凹部４３の中央部には、円筒部４４が立設されており、その内側中央には家庭用薄葉紙Ｐを一枚ずつ取り出すための取出部４１が設けられている。この円筒部４４の上端には周外に向かって突出したフランジ状の係止部４４ａが形成され、小蓋５０を閉じたときに係止することを可能としている。
【００２１】
取出部４１は、図１、図２に示すように、円筒部４４の内側の内底面に貫通形成された取付穴に取り付けられている。かかる取出部４１は、円筒と半球殻とを一体的につなぎ合わせ、上側となる半球殻部の頂部に開口を形成している。この取出部４１は、例えば、シリコンゴムにより成型されてなる弾性変形可能な略ドーム状の部材である。そして、頂部の開口に家庭用薄葉紙Ｐを下方から通過させることで適度に摺動抵抗を与え、上方から家庭用薄葉紙Ｐを引っ張ることによりミシン目からの一枚ずつの分離を可能としている。また、この取出部４１の開口における摺動抵抗は、分離された次の家庭用薄葉紙Ｐを取出部に保持し、次の取り出しを容易に行う機能をも併せ持っている。
なお、取出部４１の下半分の円筒部には上下に並んで二つのフランジ部が形成されており、円筒部４４の内底面の取付穴の上下にそれぞれのフランジ部が位置するように取り付けることにより、取出部４１が取付穴に保持されるようにしている。
【００２２】
（小蓋）
小蓋５０は、蓋４０の凹部４３の内底面に二つの支持部６０，６０を介して回動可能に取り付けられており、Ｙ軸回りの回動により取出部４１の開閉を行うようになっている。
この小蓋５０は、図１に示すように、略正方形の平板状に形成されており、蓋４０の凹部４３に嵌合させることが可能である。
また、小蓋５０の裏面（閉じた状態で下側となる面）には、蓋４０の凹部４３内に形成された円筒部４４よりも幾分内径の大きな円筒部５３が形成されている。かかる円筒部５３の下端部には内側に向かって凸となる係止部５３ａが全周に渡って形成されている。そして、小蓋５０を閉じると、円筒部５３の内側に蓋４０の円筒部４４が入り込み、互いの係止部４４ａ、５３ａが噛み合って小蓋５０の閉じた状態に保持するようになっている。
なお、小蓋５０は、蓋４０と同様に、ＰＥやＰＰ、或いはＰＥＴ等の熱可塑性樹脂を用いて、インジェクション成形、ブロー成形等の金型成型により一体的に形成されている。従って、小蓋５０、蓋４０は互いに可撓性を有しているので、小蓋４０の前端部を上方に引っ張る操作で簡単に噛み合いを解くことができるようなっている。
【００２３】
（支持部）
図３は小蓋５０の一部を切り欠いた支持部６０の斜視図、図４は支持部６０のＸ−Ｚ平面に沿った断面図である。
二つの支持部６０，６０は、小蓋５０の前端部下側と後端部下側にそれぞれ配設され、各々が同一線上とならないＹ軸方向に沿った回動軸線回りに小蓋５０を回動可能に支持することを可能とすると共に、それぞれの支持部６０，６０が蓋４０と小蓋５０との連結を解除することも可能となっている。
即ち、前側の支持部６０により小蓋５０を回動させるときには後側の支持部６０は連結を解除し、後側の支持部６０により小蓋５０を回動させるときには前側の支持部６０は連結を解除することにより、小蓋５０の前端部側を開放することも後端部側を開放することも可能としている。
【００２４】
各支持部６０は、蓋４０の凹部４３の内底面において円筒部４４を挟んで前側と後側とにそれぞれＹ軸方向に沿って固定装備された支軸６１と、小蓋５０の裏面（下面）における前側と後側とにそれぞれＹ軸方向に沿って固定装備された軸抱き６２とから構成される。
【００２５】
二つの支軸６１はＹ軸方向に沿って平行に形成された丸棒状であり、各支軸６１の下側には脚柱部６１ａが形成されている。この脚柱部６１ａにより支軸６１が凹部４３の内底面より幾分上方に位置することとなり、小蓋５０の回動時に軸抱き６２と凹部４３の内底面とが干渉することを回避している。なお、軸部６１と脚柱部６１ａとは蓋４０に対して同じ素材で一体的に形成されている。
なお、小蓋５０の回動範囲が十分に確保される場合には、脚柱部６１ａは形成しなくとも良い。
【００２６】
各軸抱き６２は小蓋５０の下面において下方に突出すると共にＹ軸方向に沿って形成された二つの爪６１ａにより支軸６１を挟むように抱いて回動可能に保持する構造となっており、二つの爪６２ａの間がＹ軸方向に沿った溝状の凹部となっている。そして、二つの爪６２ａは小蓋５０に対して同じ素材で一体的に形成されている。
そして、二つの爪６２ａの間の凹部の内側には支軸６１の外周に摺接する内周面が形成されている。
これら二つの爪６２ａは、図４に示すように、少なくとも支軸６１の外周面の180°より広い範囲を包持するよう形成されている。この軸抱き６２は、支軸６１に対して当該支軸６１回りに回動可能に連結可能であると共に、二つの爪６２ａの素材による可撓性を利用して分離することも可能となっている。例えば、小蓋５０の前端部或いは後端部を片手で引っ張るとその端部に近い方の支持部６０の軸抱き６２が支軸６１から容易に外れる程度の保持力で連結されていれば良い。このため、二つの爪６２ａは、図４に示すように、支軸６１の外周面の180°を大きく超えない範囲で包持するよう形成されている。
【００２７】
また、二つの軸抱き６２は、Ｘ軸方向について、二つの支軸６１間の距離と等しくなるように小蓋５０の下面に設けられており、これにより、二つの支持部６０が同時に支軸６１と軸抱き６２とを連結した状態（小蓋５０を閉じた状態）とすることを可能としている。
【００２８】
（家庭用薄葉紙収納容器の使用時の効果説明）
次に、上述した家庭用薄葉紙収納容器１０の使用時の取り扱いについて説明する。図５は小蓋５０の開いた状態を示す動作説明図である。
まず、図１，２に示す小蓋５０が閉じられた状態からその前端部を引き上げる。なお、蓋４０の天面部４２には凹部４３に前側と後側それぞれ隣接して半円状の窪み４５，４５が形成されており、小蓋５０の前端部と後端部に対する回動操作を容易にしている。
かかる回動操作により、前端部側の支持部６０では、軸抱き６２の各爪６２ａの間隔が広げられて支軸６１が外れ、小蓋５０の前端部側と蓋４０の連結状態が解かれる。そして、後端部側の支持部６０の支軸６１を中心としてＹ軸回りで小蓋５０が回動を行い、小蓋５０側の円筒部５３から蓋４０の円筒部４４が外れ、図５に示すように、小蓋５０の前側が開放される。
そして、内部の家庭用薄葉紙Ｐを取出部４１から引き出して使用した後には、小蓋５０の前端部を押し下げると、後端部側の支持部６０の支軸６１を中心にＹ軸回りで回動を行い、円筒部４４が円筒部５３内に入り込むと共に前端部側の支持部６０の軸抱き６２内に支軸６１が押し込まれて再び連結が行われ、小蓋５０が閉じられる。
また、家庭用薄葉紙収納容器１０に対して、後方から開く場合には、小蓋５０の後端部を引き上げ、前端部側の支持部６０の支軸６１中心で小蓋５０が回動すると共に後端部側の支持部６０の軸抱き６２が支軸６１から外れ、小蓋５０の後側が開放される。家庭用薄葉紙Ｐの使用後は、小蓋５０の後端部を押し下げ、後端部側の支持部６０の支軸６１回りで回動すると共に前端部側の支持部６０の軸抱き６２内に支軸６１が押し込まれて再び連結が行われ、小蓋５０が閉じられる。
【００２９】
上記のように、家庭用薄葉紙収納容器１０は、小蓋５０の回動支軸６１，６１がその前端部側と後端部側とに配設され、各支持部６０は支軸６１と軸抱き６２の着脱が可能であるため、小蓋を後端部側中心と前端部側中心とでそれぞれ回動させることができ、小蓋５０を前側と後側とに開くことが可能となる。このため、家庭用薄葉紙収納容器１０に対して前側にいる人に限らず、後側にいる人も家庭用薄葉紙収納容器１０の向きを変えることなく小蓋５０を開くことができ、より容易に家庭用薄葉紙の取り出しを行うことが可能となる。
また、各支持部６０を構成する素材の可撓性を利用して支軸６１と軸抱き６２との着脱を可能とするので、蓋体５０の引っ張り動作のみにより分離させることが可能となり、小蓋５０の任意の軸線回りでの回動を容易に行うことができ、家庭用薄葉紙Ｐの取り出しをより容易に行うことが可能となる。
【００３０】
（その他）
なお、上記家庭用薄葉紙収納容器１０の例では、小蓋５０の二本の回動支軸６１，６１を互いに平行とし、小蓋の前端部側と後端部側とに配設したが、支軸の配置は前後の端部に限定されるものではなく、また、各支軸は互いに平行である場合に限られるものではない。また、支持部６０は三以上設けても良い。
例えば、小蓋の左端部と右端部とにも支持部６０を設け、四方に小蓋５０が開放可能としても良い。その場合、小蓋５０を開きたい方向の逆側に位置する支持部６０の支軸６１を中心に小蓋５０は回動を行い、他の支持部６０は全て連結状態を解除される。
また、小蓋５０についても、その形状は正方形状に限らず、円形、多角形その他の種々の図形形状としても良い。
なお、小蓋５０に対する支持部６０の配置としては、小蓋５０の外縁部近傍とすることが望ましい。例えば小蓋５０の外縁部から遠い内側に配置すると、小蓋５０を回動させたときに開く側と逆側の端部が蓋体４０の上面と干渉を生じる場合があるためである。
【００３１】
また、各支持部６０において、軸抱き６２が支軸６１に対し周面により面接触する例を示したが、面全体ではなく、例えば二つのく字状の爪部を対向させて支軸６１を挟むようにするなど、複数の点或いは複数の線で接触するような構造としても良い。
さらに、各支持部６０については、蓋４０側に支軸６１を配置し、小蓋５０側に軸抱き６２を配置したが、蓋４０側に軸抱き６２を設け、小蓋５０側に支軸６１を設けても良い。
【００３２】
さらに、支持部６０は回動と着脱を可能とする構造であれば上記構造に限定されるものではなく、例えば、図６に示すように、軸状の部材を使用せず、小蓋５０の前後の各端部において、略半球状の突起６１ａ，６１ａを回動軸線となるＹ軸方向に沿って互いに外側に凸となるよう向けて配置し、突起６１ａ、６１ａが嵌合する凹部を有する二つの受け部６２ａ，６２ａを蓋４０の凹部４３の内底面に設け、これらで挟むように保持する構成としても良い。かかる構成の場合、小蓋５０の端部を上方に引っ張ると、各受け部６２ａが両外側に押し広げられて各突起６１ａ，６１ａが外れるようになっている。また、この構造の場合も、蓋４０側に突起６１ａ，６１ａを互いに対向するように配置し、小蓋５０側に受け部としての凹部を設けても良い。
【００３３】
また各支持部６０については、図７に示すように、爪６２ａを円弧状に形成し（図７では二つの爪６２ａの両方を円弧状に図示したが、小蓋５０を開く際に回動により蓋４０側に移動する片方の爪６２ａ（図示右側の爪）のみを円弧状にすればよい）、小蓋５０を開く方向に回動することにより蓋４０側に近接移動する方向に移動する一方の爪６２ａが進入する保持穴６３を蓋４０の凹部４３の内底面に設けても良い。
即ち、小蓋５０の開放回動持に、回動軸側となる支持部６０の一方の爪６２ａが保持穴６３内に入り込むことで、小蓋５０を開いている際に、支持部６０の軸抱き６２と支軸６１との不慮の外れを防止することが可能となる。
【００３４】
また、上記家庭用薄葉紙収納容器１０ではロール状の家庭用薄葉紙Ｐを収納する場合を例示したが、例えば、一枚ずつカットされた家庭用薄葉紙Ｐを略二つ折りにして、互い違いに重ねて収納する場合にも、上記家庭用薄葉紙収納容器１０は適用可能である。なお、その場合、容器本体２０は直方体形状とすることがより望ましい。
【００３５】
（第二の実施形態）
支持部について第二の実施形態を図８に基づいて説明する。
前述した支持部６０は、一つの回動軸線につき、一つの支軸６１及び軸抱き６２を設ける構成としたが、第二の実施形態では、図８に示すように、一つの回動軸線につき二つ（或いはそれ以上としても良い）の支軸６１Ａ及び軸抱き６２Ａを設ける構成とした。
その場合、各保持部６０Ａは、蓋４０の凹部４３の内底面に同一軸上となるようにＹ軸方向の長さを短くした二つの支軸６１Ａを配置し（例えば、凹部４３の角位置）、小蓋５０の下面側の対応する各位置に同様にＹ軸方向の長さを短くした軸抱き６２Ａを配置する。つまり、この例では、小蓋５０の四方の角に支軸６１Ａと軸抱き６２Ａの組みが配置されることとなる。
かかる構成の支持部６０Ａ場合も、前述した支持部６０と同様に機能し、同様の効果を得ることができる。
なお、この例でも、蓋４０側に軸抱き６２Ａを設け、小蓋５０側に支軸６１Ａを設けても良い。
【００３６】
（第三の実施形態）
支持部について第三の実施形態を図９に基づいて説明する。
前述した支持部６０は、支持部６０は一定方向（Ｙ軸方向）に沿った軸線回りの回動を可能とする構成としたが、この第三の実施形態では、図９に示すように、各支持部６０Ｂを球面軸受構造とし、個々の支持部６０Ｂが全方位を軸として回動可能に構成した。
図９は支持部６０ＢのＸ−Ｚ平面に沿った断面図である。支持部６０Ｂは、蓋４０の凹部４３の内底面上から脚柱部６３Ｂを介して立設された球体部６１Ｂと、蓋体５０の下面に設けられた球体保持部６２Ｂとから構成されている。
【００３７】
球体部６１Ｂはなめらかな球面を備えた球体である。
また球体保持部６２Ｂは全体がＺ軸方向に沿った円筒状であり、その内部には球面に面接触する球体受け面が形成されている。また、この球体保持部６２Ｂは、前述した軸抱き６２のように、球体部６１Ｂの上半分以上の範囲を内包するように保持を行う。そして、球体保持部６２Ｂは、その下端部から上方に向かって切り込み６４Ｂが形成されている。これにより、円筒状の球体保持部６２Ｂは半径方向外側に向かって拡径することが可能となっており、これにより球体保持部６２Ｂから球体部６２Ｂを引き抜くことを可能としている。
【００３８】
また、上記支持部６０Ｂは、二本のＸ軸方向に平行な回動軸線ＳＸ，ＳＸと二本のＹ軸方向に平行な回動軸線ＳＹ，ＳＹとの四つの交点となる位置にそれぞれ設けられており、これにより、二本のＸ軸方向に平行な回動軸線ＳＸ，ＳＸと二本のＹ軸方向に平行な回動軸線ＳＹ，ＳＹのそれぞれについて小蓋５０を回動させることを可能としている。四本の軸線のいずれかの軸線回りに回動させる時には、当該軸線上の二つの支持部６０Ｂ以外の他の支持部６０Ｂについては球体部６１Ｂと球体保持部６２Ｂとを分離させ、軸線上の二つの支持部６０Ｂにより小蓋５０を回動させる。
【００３９】
かかる構成の支持部６０Ｂ場合も、前述した支持部６０と同様に機能し、同様の効果を得ることができる。
さらに、一本の回動軸線につきその両端部に支持部６０Ｂを設ける場合に比べて二本の軸線で支持部６０Ｂが共用されるので、必要個体数を低減し、家庭用薄葉紙収納容器の生産コストを低減して生産性を向上させることが可能となる。
また、球面軸受はあらゆる方向を軸として回動可能とするので、一つの回動軸線につき、二つの支持部６０Ｂを設ける場合でも、回動軸線を揃えるための加工精度が高く要求されず、容器の加工コストを低減することが可能となる。或いは、従前と同程度の加工精度で製造した場合でも、小蓋５０の回動をより円滑に行うことを可能とする。
なお、この例でも、蓋４０側に球体保持部６２Ｂを設け、小蓋５０側に球体部６１Ｂを設けても良い。
【符号の説明】
【００４０】
１０  家庭用薄葉紙収納容器
２０  容器本体
３０  ボトル
４０  蓋
４１  取出部（取出口）
５０  小蓋（蓋体）
６０，６０Ａ，６０Ｂ  支持部
６１，６１Ａ  支軸
６１Ｂ  球体部
６２，６２Ａ  軸抱き
６２Ｂ  球体保持部
６４  開口部（ガイド構造）
Ｐ  家庭用薄葉紙
【図１】
0005590916.tif 000002
【図２】
0005590916.tif 000003
【図３】
0005590916.tif 000004
【図４】
0005590916.tif 000005
【図５】
0005590916.tif 000006
【図６】
0005590916.tif 000007
【図７】
0005590916.tif 000008
【図８】
0005590916.tif 000009
【図９】
0005590916.tif 000010
【図１０】
0005590916.tif 000011